(57)【要約】【課題】  未硬化に保持された層間剥離層を備えた再剥離積層体及び該再剥離積層体を用いた再剥離帳票を提供する。【解決手段】  第一帳票基材２上に粘着剤層３が配設され、該粘着剤層３上にカチオン重合シリコーンからなる層間剥離層４が配設され、該層間剥離層４の所要領域面上にカチオン重合シリコーンの重合を妨げて未硬化状態とするアルカリ性物質を含有した硬化阻害層５が配設され、さらに該硬化阻害層５を含む層間剥離層４を覆うようにして第二帳票基材６が配設されてなる再剥離積層体１Ａとし、所要領域の層間剥離層４を該所要領域面上の硬化阻害層５のアルカリ性物質により、未硬化状態に保持するようにした。これにより、第二帳票基材６の剥離時に、未硬化部分の層間剥離層４が層間剥離して粘着剤層３に残留し、該粘着剤層３の接着力を大幅に低下させることができる一方、硬化部分の層間剥離層４は第二帳票基材６とともに除去されて粘着剤層３が露出し、該粘着剤層３の本来の強接着力を発揮させることができる。【選択図】    図１
2006248144.tif 000002
【特許請求の範囲】
【請求項１】
第一帳票基材上に粘着剤層が配設され、該粘着剤層上にカチオン重合シリコーンからなる層間剥離層が配設され、該層間剥離層の所要領域面上にカチオン重合シリコーンの重合を妨げて未硬化状態とするアルカリ性物質を含有した硬化阻害層が配設され、さらに該硬化阻害層を含む層間剥離層を覆うようにして第二帳票基材が配設されてなり、所要領域の層間剥離層を該所要領域面上の硬化阻害層のアルカリ性物質により、未硬化状態に保持するようにしたことを特徴とする再剥離積層体。
【請求項２】
第一帳票基材上に粘着剤層が配設され、該粘着剤層上にカチオン重合シリコーンからなる層間剥離層が配設され、該層間剥離層の所要領域面を除く領域面上にアルカリ性物質を含有しない接触遮断層が配設され、さらに該接触遮断層を含む層間剥離層を覆うようにして、カチオン重合シリコーンの重合を妨げて未硬化状態とするアルカリ性を呈する第二帳票基材が配設されてなり、接触遮断層によって第二帳票基材との接触が遮断される領域を除く所要領域の層間剥離層をアルカリ性の第二帳票基材により、未硬化状態に保持するようにしたことを特徴とする再剥離積層体。
【請求項３】
被貼着片部の一辺縁に折り線を介して隠蔽片部が連成され、かつ被貼着片部上面の少なくとも前記折り線の対向縁を除く所定位置に秘匿情報記入領域が設けられた第一帳票基材の、その隠蔽片部上面の略全面に粘着剤層が配設され、該粘着剤層上の全面にカチオン重合シリコーンからなる層間剥離層が配設され、該層間剥離層上で、前記折り線で第一帳票基材を折り畳んだ状態で被貼着片部の秘匿情報記入領域に一致する所要領域面上に、カチオン重合シリコーンの重合を妨げて未硬化状態とするアルカリ性物質を含有した硬化阻害層が配設され、さらに該硬化阻害層を含む層間剥離層を覆うようにして第二帳票基材が配設されてなり、第二帳票基材の剥離時に、未硬化状態に保持されている層間剥離層が層間剥離して粘着剤層上に残留し、該粘着剤層の、秘匿情報記入領域に被着される所要領域面の粘着力が低下するように設けられていることを特徴とする請求項１記載の再剥離積層体を用いた再剥離帳票。
【請求項４】
被貼着片部の一辺縁に折り線を介して隠蔽片部が連成され、かつ被貼着片部上面の少なくとも前記折り線の対向縁を除く所定位置に秘匿情報記入領域が設けられた第一帳票基材の、その隠蔽片部上面の略全面に粘着剤層が配設され、該粘着剤層上の全面にカチオン重合シリコーンからなる層間剥離層が配設され、該層間剥離層上で、前記折り線で第一帳票基材を折り畳んだ状態で被貼着片部の秘匿情報記入領域に一致する所要領域面を除く領域面上に、アルカリ性物質を含有しない接触遮断層が配設され、さらに該接触遮断層を含む層間剥離層を覆うようにして、カチオン重合シリコーンの重合を妨げて未硬化状態とするアルカリ性を呈する第二帳票基材が配設されてなり、第二帳票基材の剥離時に、未硬化状態に保持されている層間剥離層が層間剥離して粘着剤層に残留し、該粘着剤層の、秘匿情報記入領域に被着される所要領域面の粘着力が低下するように設けられていることを特徴とする請求項２記載の再剥離積層体を用いた再剥離帳票。
【請求項５】
被貼着片部に、秘匿情報記入領域の切り離し用ミシン目が、該秘匿情報記入領域を囲繞するようにして形成されていることを特徴とする請求項３または請求項４記載の再剥離帳票。
【発明の詳細な説明】
【技術分野】
【０００１】
本発明は、複数の帳票基材が再剥離可能に接着された再剥離積層体及び該再剥離積層体を用いた再剥離帳票に関する。
【背景技術】
【０００２】
再剥離積層体は、少なくとも二枚の帳票基材を積層した状態で再剥離可能に接着したものであり、このような再剥離積層体を用いた再剥離帳票として、例えば隠蔽葉書が知られている。
【０００３】
図９は、再剥離帳票として構成された従来の隠蔽葉書の一例を示すものであり、図９（イ）に示すように、隠蔽葉書ａは、葉書用紙としての被貼着片部ｂと、隠蔽用紙としての隠蔽片部ｃとが折り線ｄを介して二つ折り可能に連成されており、被貼着片部ｂの上面には秘匿情報を記入するための秘匿情報記入領域ｅが設けられている。また、隠蔽片部ｃの上面には、図９（ロ）に示すように、その略全面に再剥離粘着剤ｆが配設されており、さらに該再剥離粘着剤ｆ上に剥離層ｇを備えた剥離紙ｈが再剥離可能に貼着されている（特許文献１参照）。そして、この隠蔽片部ｃと、その上面に積層された再剥離粘着剤ｆ，剥離層ｇ，剥離紙ｈとによって再剥離積層体ｊが構成されている。
【０００４】
かかる隠蔽葉書ａは、被貼着片部ｂの秘匿情報記入領域ｅに秘匿情報を記入した後、剥離紙ｈを剥がして二つ折り状に閉じ合わせると、図９（ハ）に示すように、隠蔽片部ｃが被貼着片部ｂ上に再剥離粘着剤ｆの粘着力を介して再剥離可能に接着されて、秘匿情報記入領域ｅに記入した秘匿情報を隠蔽することができ、また、該隠蔽葉書ａの郵送後、受取人が隠蔽片部ｃを再剥離することにより、秘匿情報を知得することができるようになっている。
【特許文献１】特許第２９３７７３２号公報
【発明の開示】
【発明が解決しようとする課題】
【０００５】
ところで、従来構成の隠蔽葉書ａにあっては、再剥離粘着剤ｆを用いて隠蔽片部ｃと被貼着片部ｂとの接着を行っていることにより、その接着後、再剥離粘着剤ｆの特性によって、誰でも容易に隠蔽片部ｃを剥離でき、かつ痕跡を残さずに再貼着することができるため、秘匿情報の隠蔽性が低いという問題点があった。
【０００６】
本発明は、かかる従来の問題点を解消するためになされたものであり、新規なる構成の再剥離積層体及び該再剥離積層体を用いた再剥離帳票を提供することを目的とするものである。
【課題を解決するための手段】
【０００７】
本発明は、第一帳票基材上に粘着剤層が配設され、該粘着剤層上にカチオン重合シリコーンからなる層間剥離層が配設され、該層間剥離層の所要領域面上にカチオン重合シリコーンの重合を妨げて未硬化状態とするアルカリ性物質を含有した硬化阻害層が配設され、さらに該硬化阻害層を含む層間剥離層を覆うようにして第二帳票基材が配設されてなり、所要領域面の層間剥離層を硬化阻害層のアルカリ性物質により、未硬化状態に保持するようにしたことを特徴とする再剥離積層体である。
【０００８】
この構成にあって、前記粘着剤層には、強接着性粘着剤が好適に用いられる。前記カチオン重合シリコーンは、酸性条件下の水素イオンを触媒として重合（硬化）するシリコーンであり、重合時にアルカリ性物質が存在すると重合（硬化）が阻害される。また、前記アルカリ性物質を含有した硬化阻害層は、アミン等のアルカリ性物質を添加したインキの印刷層として形成され得る。
【０００９】
また、本発明は、第一帳票基材上に粘着剤層が配設され、該粘着剤層上にカチオン重合シリコーンからなる層間剥離層が配設され、該層間剥離層の所要領域面を除く領域面上にアルカリ性物質を含有しない接触遮断層が配設され、さらに該接触遮断層を含む層間剥離層を覆うようにして、カチオン重合シリコーンの重合を妨げて未硬化状態とするアルカリ性を呈する第二帳票基材が配設されてなり、接触遮断層によって第二帳票基材との接触が遮断される領域面を除く所要領域面の層間剥離層をアルカリ性の第二帳票基材により、未硬化状態に保持するようにしたことを特徴とする再剥離積層体である。
【００１０】
この構成にあって、前記粘着剤層には、強接着性粘着剤が好適に用いられる。前記カチオン重合シリコーンは、酸性条件下の水素イオンを触媒として重合（硬化）するシリコーンであり、重合時にアルカリ性物質が存在すると重合（硬化）が阻害される。前記アルカリ性物質を含有しない接触遮断層は、アミン等のアルカリ性物質を含有しないインキの印刷層として形成され得る。また、前記アルカリ性を呈する第二帳票基材は、紙の平滑度及び白色度の向上等を目的とした填料に使用される炭酸カルシウムや、紙の吸湿度調整を目的としたサイズ剤に使用されるアルキルケテンダイマー，アルケニル無水コハク酸等のアルカリ性物質を含有する帳票基材が用いられ得る。
【００１１】
また、本発明は、被貼着片部の一辺縁に折り線を介して隠蔽片部が連成され、かつ被貼着片部上面の少なくとも前記折り線の対向縁を除く所定位置に秘匿情報記入領域が設けられた第一帳票基材の、その隠蔽片部上面の略全面に粘着剤層が配設され、該粘着剤層上の全面にカチオン重合シリコーンからなる層間剥離層が配設され、該層間剥離層上で、前記折り線で第一帳票基材を折り畳んだ状態で被貼着片部の秘匿情報記入領域に一致する所要領域面上に、カチオン重合シリコーンの重合を妨げて未硬化状態とするアルカリ性物質を含有した硬化阻害層が配設され、さらに該硬化阻害層を含む層間剥離層を覆うようにして第二帳票基材が配設されてなり、第二帳票基材の剥離時に、未硬化状態に保持されている層間剥離層が層間剥離して粘着剤層に残留し、該粘着剤層の、秘匿情報記入領域に被着される所要領域面の粘着力が低下するように設けられていることを特徴とする再剥離積層体を用いた再剥離帳票である。かかる再剥離帳票は、隠蔽葉書として用いられ得る。
【００１２】
この構成にあって、被貼着片部上面に設けられる秘匿情報記入領域は、少なくとも前記折り線側一辺縁以外の三辺縁を除く所定位置に設けることが最も好ましい。
【００１３】
さらに、本発明は、被貼着片部の一辺縁に折り線を介して隠蔽片部が連成され、かつ被貼着片部上面の少なくとも前記折り線の対向縁を除く所定位置に秘匿情報記入領域が設けられた第一帳票基材の、その隠蔽片部上面の略全面に粘着剤層が配設され、該粘着剤層上の全面にカチオン重合シリコーンからなる層間剥離層が配設され、該層間剥離層上で、前記折り線で第一帳票基材を折り畳んだ状態で被貼着片部の秘匿情報記入領域に一致する所要領域面を除く領域面上に、アルカリ性物質を含有しない接触遮断層が配設され、さらに該接触遮断層を含む層間剥離層を覆うようにして、カチオン重合シリコーンの重合を妨げて未硬化状態とするアルカリ性を呈する第二帳票基材が配設されてなり、第二帳票基材の剥離時に、未硬化状態に保持されている層間剥離層が層間剥離して粘着剤層に残留し、該粘着剤層の、秘匿情報記入領域に被着される所要領域面の粘着力が低下するように設けられていることを特徴とする再剥離積層体を用いた再剥離帳票である。かかる再剥離帳票も、隠蔽葉書として用いられ得る。
【００１４】
この構成にあっても、被貼着片部上面に設けられる秘匿情報記入領域は、少なくとも前記折り線側一辺縁以外の三辺縁を除く所定位置に設けることが最も好ましい。
【００１５】
また、前記各再剥離帳票の構成において、被貼着片部に、秘匿情報記入領域の切り離し用ミシン目を、該秘匿情報記入領域を囲繞するようにして形成した構成が提案される。
【発明の効果】
【００１６】
本発明は、上述したように、第一帳票基材上に粘着剤層が配設され、該粘着剤層上にカチオン重合シリコーンからなる層間剥離層が配設され、該層間剥離層の所要領域面上にカチオン重合シリコーンの重合を妨げて未硬化状態とするアルカリ性物質を含有した硬化阻害層が配設され、さらに該硬化阻害層を含む層間剥離層を覆うようにして第二帳票基材が配設されてなり、所要領域の層間剥離層を該所要領域面上の硬化阻害層のアルカリ性物質により、未硬化状態に保持するようにしたことを特徴とする再剥離積層体であるから、硬化阻害層が配設された所要領域の層間剥離層は、未硬化状態に保持される一方、硬化阻害層が配設された所要領域を除く領域の層間剥離層は硬化する。そしてこのように層間剥離層に未硬化部分と硬化部分とを選択的に生じさせることにより、第二帳票基材の剥離時に、未硬化部分の層間剥離層が層間剥離して粘着剤層に残留し、該粘着剤層の接着力を大幅に低下させることができる一方、硬化部分の層間剥離層は第二帳票基材とともに除去されて粘着剤層が露出し、該粘着剤層本来の接着力を発揮させることができる。
【００１７】
また、本発明は、第一帳票基材上に粘着剤層が配設され、該粘着剤層上にカチオン重合シリコーンからなる層間剥離層が配設され、該層間剥離層の所要領域面を除く領域面上にアルカリ性物質を含有しない接触遮断層が配設され、さらに該接触遮断層を含む層間剥離層を覆うようにして、カチオン重合シリコーンの重合を妨げて未硬化状態とするアルカリ性を呈する第二帳票基材が配設されてなり、接触遮断層によって第二帳票基材との接触が遮断される領域を除く所要領域の層間剥離層をアルカリ性の第二帳票基材により、未硬化状態に保持するようにしたことを特徴とする再剥離積層体であるから、接触遮断層によってアルカリ性の第二帳票基材との接触が遮断される領域を除く所要領域の層間剥離層は、未硬化状態に保持される一方、接触遮断層によってアルカリ性の第二帳票基材との接触が遮断される領域の層間剥離層は硬化する。そしてこのように層間剥離層に未硬化部分と硬化部分とを選択的に生じさせることにより、この発明にあっても、第二帳票基材の剥離時に、未硬化部分の層間剥離層が層間剥離して粘着剤層に残留し、該粘着剤層の接着力を大幅に低下させることができる一方、硬化部分の層間剥離層は第二帳票基材とともに除去されて粘着剤層が露出し、該粘着剤層本来の接着力を発揮させることができる。
【００１８】
また、本発明は、被貼着片部の一辺縁に折り線を介して隠蔽片部が連成され、かつ被貼着片部上面の少なくとも前記折り線の対向縁を除く所定位置に秘匿情報記入領域が設けられた第一帳票基材の、その隠蔽片部上面の略全面に粘着剤層が配設され、該粘着剤層上の全面にカチオン重合シリコーンからなる層間剥離層が配設され、該層間剥離層上で、前記折り線で第一帳票基材を折り畳んだ状態で被貼着片部の秘匿情報記入領域に一致する所要領域面上に、カチオン重合シリコーンの重合を妨げて未硬化状態とするアルカリ性物質を含有した硬化阻害層が配設され、さらに該硬化阻害層を含む層間剥離層を覆うようにして第二帳票基材が配設されてなり、第二帳票基材の剥離時に、未硬化状態に保持されている層間剥離層が層間剥離して粘着剤層上に残留し、該粘着剤層の、秘匿情報記入領域に被着される所要領域面の粘着力が低下するように設けられていることを特徴とする再剥離帳票であるから、秘匿情報記入領域に秘匿情報を記入した後、第二帳票基材を剥離すると、未硬化状態の層間剥離層の層間剥離によって、被貼着片部の秘匿情報記入領域に一致する粘着剤層の所要領域面上に層間剥離層が残留して、該粘着剤層の所要領域面の粘着力が低下した状態が得られる一方、粘着剤層の所要領域面以外の領域面、即ち、少なくとも前記折り線の対向縁の領域面は、硬化した層間剥離層が第二帳票基材とともに除去されることにより、粘着剤層が露出した状態となる。そして、この状態において、折り線で第一帳票基材を二つ折りにして閉じ合わせると、隠蔽片部が被貼着片部上に粘着剤層の粘着力を介して接着されて、秘匿情報記入領域に記入された秘匿情報を隠蔽することができる。この時、粘着剤層の、秘匿情報記入領域に被着される所要領域面の粘着力が低下していることにより、該秘匿情報記入領域には隠蔽片部が剥離可能に弱接着されることとなり、また、少なくとも折り線の対向縁は、露出した粘着剤層により、剥離不能に強接着されることとなる。従って、秘匿情報を不正に知得しようとして、隠蔽片部を無理に剥離すると、強接着されている部分が破れるため、剥離した痕跡を残さずに隠蔽片部を再貼着することができず、これによって、隠蔽性を向上させることができる。
【００１９】
また、本発明は、被貼着片部の一辺縁に折り線を介して隠蔽片部が連成され、かつ被貼着片部上面の少なくとも前記折り線の対向縁を除く所定位置に秘匿情報記入領域が設けられた第一帳票基材の、その隠蔽片部上面の略全面に粘着剤層が配設され、該粘着剤層上の全面にカチオン重合シリコーンからなる層間剥離層が配設され、該層間剥離層上で、前記折り線で第一帳票基材を折り畳んだ状態で被貼着片部の秘匿情報記入領域に一致する所要領域面を除く領域面上に、アルカリ性物質を含有しない接触遮断層が配設され、さらに該接触遮断層を含む層間剥離層を覆うようにして、カチオン重合シリコーンの重合を妨げて未硬化状態とするアルカリ性を呈する第二帳票基材が配設されてなり、第二帳票基材の剥離時に、未硬化状態に保持されている層間剥離層が層間剥離して粘着剤層に残留し、該粘着剤層の、秘匿情報記入領域に被着される所要領域面の粘着力が低下するように設けられていることを特徴とする再剥離帳票であるから、秘匿情報記入領域に秘匿情報を記入した後、第二帳票基材を剥離すると、未硬化状態の層間剥離層の層間剥離によって、被貼着片部の秘匿情報記入領域に一致する粘着剤層の所要領域面上に層間剥離層が残留して、該粘着剤層の所要領域面の粘着力が低下した状態が得られる一方、粘着剤層の所要領域面以外の領域面、即ち、少なくとも前記折り線の対向縁の領域面は、硬化した層間剥離層が第二帳票基材とともに除去されることにより、粘着剤層が露出した状態となる。そして、この状態において、折り線で第一帳票基材を二つ折りにして閉じ合わせると、隠蔽片部が被貼着片部上に粘着剤層の粘着力を介して接着されて、秘匿情報記入領域に記入された秘匿情報を隠蔽することができる。この時、粘着剤層の、秘匿情報記入領域に被着される所要領域面の粘着力が低下していることにより、該秘匿情報記入領域には隠蔽片部が剥離可能に弱接着されることとなり、また、少なくとも折り線の対向縁は、露出した粘着剤層により、剥離不能に強接着されることとなる。従って、秘匿情報を不正に知得しようとして、隠蔽片部を無理に剥離すると、強接着されている部分が破れるため、剥離した痕跡を残さずに隠蔽片部を再貼着することができず、これによって、隠蔽性を向上させることができる。
【００２０】
また、前記被貼着片部に、秘匿情報記入領域の切り離し用ミシン目を、該秘匿情報記入領域を囲繞するようにして形成した構成にあっては、第一帳票基材が二つ折りに閉じ合わされ、少なくとも折り線の対向縁が露出した粘着剤層により、剥離不能に強接着された状態において、秘匿情報記入領域に記入されている秘匿情報の知得時に、前記切り離し用ミシン目によって被貼着片部から秘匿情報記入領域を簡単に切り離すことができ、これによって秘匿情報の知得が容易となる。
【発明を実施するための最良の形態】
【００２１】
以下に、本発明の第一実施例を、図１に基づいて説明する。この第一実施例は請求項１にかかる再剥離積層体の一実施例を示すものである。
再剥離積層体１Ａは、図１（イ）に示すように、第一帳票基材２上に粘着剤層３が配設され、該粘着剤層３上にカチオン重合シリコーンからなる層間剥離層４が配設され、該層間剥離層４の所要領域面上にカチオン重合シリコーンの重合を妨げて未硬化状態とするアルカリ性物質を含有した硬化阻害層５が配設され、さらに該硬化阻害層５を含む層間剥離層４を覆うようにして第二帳票基材６が配設されている。そして、前記所要領域の層間剥離層４を該所要領域面上の硬化阻害層５のアルカリ性物質により、未硬化状態に保持するようにしている。
【００２２】
ここで、前記第一帳票基材２及び第二帳票基材６には、紙が好適に用いられ得る。また、粘着剤層３には強接着性粘着剤が好適に用いられ得る。前記カチオン重合シリコーンは、酸性条件下の水素イオンを触媒として重合（硬化）するシリコーンであり、重合時にアルカリ性物質が存在すると重合（硬化）が阻害される特性を備えている。また、前記硬化阻害層５は、アミン等のアルカリ性物質を添加したインキの印刷層として形成され得る。このインキの印刷は、ベタ印刷の他、網点，万線，格子模様等の所定パターンで、その構成面積比を変化させた印刷形態が適用され得る。ここで、アミンは、紫外線硬化型インキにおいて開始剤や増感剤として使用される添加剤であるが、アミン以外に、印刷インキに混入可能なアルカリ性物質を使用することもできる。
【００２３】
次に、前記再剥離積層体１Ａの作成方法について説明する。
先ず、第一帳票基材２の一面の略全面に強接着性粘着剤を塗布して粘着剤層３を形成する。一方、第二帳票基材６の一面に、アミン等のアルカリ性物質を添加したインキを印刷して硬化阻害層５を形成する。この硬化阻害層５は、カチオン重合シリコーンからなる層間剥離層４を未硬化状態に保持する所要領域に対応する領域に設けられる。そして、この硬化阻害層５上を含む第二帳票基材６の一面上に、カチオン重合シリコーンを塗布して層間剥離層４を形成する。ここで、硬化阻害層５上に形成されたカチオン重合シリコーンからなる層間剥離層４は、硬化阻害層５のアルカリ性物質により重合が妨げられて未硬化状態に保持される。また、硬化阻害層５が配設された所要領域を除く領域の層間剥離層４は硬化する。
【００２４】
然る後、第一帳票基材２と第二帳票基材６とを積層する。この積層は、粘着剤層３が形成されている面と、層間剥離層４が形成されている面とが密着するように行う。これにより、図１（イ）に示す再剥離積層体１Ａが作成される。
【００２５】
かかる構成にあって、硬化阻害層５が配設された所要領域の層間剥離層４は、未硬化状態に保持される一方、硬化阻害層５が配設された所要領域を除く領域の層間剥離層４は硬化した状態となっている。そしてこのように層間剥離層４に未硬化部分と硬化部分とを選択的に生じさせることにより、第二帳票基材６の剥離時に、図１（ロ）に示すように、未硬化部分の層間剥離層４が層間剥離して粘着剤層３に残留し、該粘着剤層３の接着力を大幅に低下させることができる一方、硬化部分の層間剥離層４は第二帳票基材６とともに除去されて粘着剤層３が露出し、該粘着剤層３の本来の強接着力を発揮させることができる。そして、このように、第一帳票基材２上に弱接着する部分と強接着する部分を設けるに際して、弱接着性と強接着性の二種類の粘着剤を用いる必要がないため、生産性がよく、コストを低減させることができる。
【００２６】
次に、本発明の第二実施例を、図２〜図４に基づいて説明する。この第二実施例は、上記再剥離積層体１Ａを用いた請求項３にかかる再剥離帳票の一実施例を示すものである。
【００２７】
この第二実施例における再剥離帳票１０Ａは、隠蔽葉書として構成されている。第一帳票基材２は、図２に示すように、略同サイズの被貼着片部１１と隠蔽片部１２とがその一辺縁で折り線１３を介して連成されてなるものであり、被貼着片部１１の上面には、前記折り線１３側一辺縁以外の三辺縁を除く所定位置に秘匿情報記入領域１４が設けられている。また、被貼着片部１１には、該秘匿情報記入領域１４を囲繞するようにして、該秘匿情報記入領域１４の切り離し用ミシン目１５が形成されている。
【００２８】
一方、前記隠蔽片部１２の上面には、図３に示すように、その略全面に強接着性粘着剤からなる粘着剤層３が配設され、該粘着剤層３の上面の全面にはカチオン重合シリコーンからなる層間剥離層４が配設され、該層間剥離層４上で、前記折り線１３で第一帳票基材２を折り畳んだ状態で被貼着片部１１の秘匿情報記入領域１４に一致する所要領域面上には、カチオン重合シリコーンの重合を妨げて未硬化状態とするアルカリ性物質を含有した硬化阻害層５が配設され、さらに該硬化阻害層５の上面を含む層間剥離層４の上面を覆うようにして第二帳票基材６が配設されている。そして、隠蔽片部１２とその上部に配設された粘着剤層３，層間剥離層４，硬化阻害層５及び第二帳票基材６によって第一実施例の再剥離積層体１Ａが構成されている。
【００２９】
尚、この再剥離帳票１０Ａは、第一帳票基材２の被貼着片部１１に秘匿情報記入領域１４を印刷形成する工程と、該秘匿情報記入領域１４を囲繞する切り離し用ミシン目１５を形成する工程以外は、上述した再剥離積層体１Ａの作成方法が適用され、使用する各材料も同じであるので、作成方法及び使用材料についての重複する説明を省略する。
【００３０】
上記のように隠蔽葉書として構成された再剥離帳票１０Ａを使用するには、秘匿情報記入領域１４に秘匿情報を記入した後、第二帳票基材６を剥離する。この第二帳票基材６の剥離操作によって未硬化状態の層間剥離層４が層間剥離し、図４（イ）に示すように、被貼着片部１１の秘匿情報記入領域１４（図２参照）に一致する粘着剤層３の所要領域面上に層間剥離層４が残留して、該粘着剤層３の所要領域面が粘着力の低下した弱接着部１６ａとなるとともに、粘着剤層３の所要領域面以外の領域面、即ち、前記折り線１３側一辺縁以外の三辺縁の領域面は、硬化した層間剥離層４が第二帳票基材６とともに除去されて、強接着性の粘着剤層３が露出した強接着部１６ｂとなる。
【００３１】
そして、この状態において、図４（ロ）に示すように、折り線１３で第一帳票基材２を二つ折りにして閉じ合わせる。この閉じ合わせ操作によって、隠蔽片部１２が被貼着片部１１上に粘着剤層３の弱接着部１６ａと強接着部１６ｂの粘着力を介して接着されて、秘匿情報記入領域１４に記入された秘匿情報を隠蔽することができる。この時、粘着剤層３の弱接着部１６ａにより、秘匿情報記入領域１４には隠蔽片部１２が剥離可能に弱接着されることとなり、また、折り線１３側一辺縁以外の三辺縁は、粘着剤層３の強接着部１６ｂにより、剥離不能に強接着されることとなる。そしてこのように秘匿情報を隠蔽した隠蔽葉書の郵送後において、正規の受取人が切り離し用ミシン目１５で秘匿情報記入領域１４部分を隠蔽葉書から切り離すことにより、秘匿情報を知得することができる。
【００３２】
かかる構成にあって、第三者が秘匿情報を不正に知得しようとして、隠蔽片部１２を無理に剥離すると、強接着されている三辺縁部分が破れるため、剥離した痕跡を残さずに隠蔽片部１２を再貼着することができず、これによって、隠蔽性を向上させることができる。
【００３３】
尚、この第二実施例にあっては、折り線１３側一辺縁以外の三辺縁を除く被貼着片部１１の所定位置に設けられた秘匿情報記入領域１４に対応するようにして、硬化阻害層５を配設し、第一帳票基材２の閉じ合わせ時に、折り線１３側一辺縁以外の三辺縁を強接着性の粘着剤層３によって剥離不能に強接着させるようにしているが、これに代えて、被貼着片部１１の四辺縁を除く所定位置に秘匿情報記入領域１４を設けるとともに、該秘匿情報記入領域１４に対応するようにして、硬化阻害層５を配設することにより、閉じ合わせ時に、四辺縁を強接着させるようにすることも可能である。また、折り線１３の対向縁を除く被貼着片部１１の所定位置に秘匿情報記入領域１４を設け、該秘匿情報記入領域１４に対応するようにして、硬化阻害層５を配設することにより、閉じ合わせ時に、折り線１３の対向縁を強接着させるようにすることも可能である。
【００３４】
また、前記切り離し用ミシン目１５は必ずしも必要ではなく、強接着されている三辺縁（若しくは前記四辺縁または折り線１３の対向縁）部分をハサミ等を用いて切り離すことによっても、秘匿情報の知得が可能であるが、前記第三実施例のように切り離し用ミシン目１５を設けておけば、ハサミ等の道具を用いることなく、簡単に隠蔽葉書から秘匿情報記入領域１４部分を切り離すことが可能となる。
【００３５】
次に、本発明の第三実施例を、図５に基づいて説明する。この第三実施例は請求項２にかかる再剥離積層体の一実施例を示すものである。
再剥離積層体１Ｂは、図５（イ）に示すように、第一帳票基材２上に粘着剤層３が配設され、該粘着剤層３上にカチオン重合シリコーンからなる層間剥離層４が配設され、該層間剥離層４の所要領域面を除く領域面上にアルカリ性物質を含有しない接触遮断層７が配設され、さらに該接触遮断層７を含む層間剥離層４を覆うようにして、カチオン重合シリコーンの重合を妨げて未硬化状態とするアルカリ性を呈する第二帳票基材８が配設されている。そして、前記接触遮断層７によって第二帳票基材８との接触が遮断される領域を除く所要領域の層間剥離層４をアルカリ性の第二帳票基材８により、未硬化状態に保持するようにしている。
【００３６】
ここで、前記第一帳票基材２には、紙が好適に用いられ得る。また、粘着剤層３には強接着性粘着剤が好適に用いられ得る。前記カチオン重合シリコーンは、酸性条件下の水素イオンを触媒として重合（硬化）するシリコーンであり、重合時にアルカリ性物質が存在すると重合（硬化）が阻害される特性を備えている。また、前記接触遮断層７は、アルカリ性物質が添加されていない非アルカリ性インキの印刷層として形成され得る。この非アルカリ性インキの印刷には、ベタ印刷が適用され得る。また、前記アルカリ性を呈する第二帳票基材８には、紙の平滑度及び白色度の向上等を目的とした填料に使用される炭酸カルシウムや、紙の吸湿度調整を目的としたサイズ剤に使用されるアルキルケテンダイマー，アルケニル無水コハク酸等のアルカリ性物質を含有する帳票基材が用いられ得る。
【００３７】
次に、前記再剥離積層体１Ｂの作成方法について説明する。
先ず、第一帳票基材２の一面の略全面に強接着性粘着剤を塗布して粘着剤層３を形成する。一方、第二帳票基材８の一面に、アルカリ性物質が添加されていない非アルカリ性インキを印刷して接触遮断層７を形成する。この接触遮断層７は、カチオン重合シリコーンからなる層間剥離層４を未硬化状態に保持する所要領域を除く領域に設けられる。そして、この接触遮断層７上を含む第二帳票基材８の一面上に、カチオン重合シリコーンを塗布して層間剥離層４を形成する。ここで、アルカリ性を呈する第二帳票基材８上に形成されたカチオン重合シリコーンからなる層間剥離層４は、アルカリ性の第二帳票基材８との接触により、重合が妨げられて未硬化状態に保持される。また、未硬化状態に保持される所要領域を除く領域の層間剥離層４は、接触遮断層７によってアルカリ性の第二帳票基材８との接触が遮断されるため硬化する。
【００３８】
然る後、第一帳票基材２と第二帳票基材８とを積層する。この積層は、粘着剤層３が形成されている面と、層間剥離層４が形成されている面とが密着するように行う。これにより、図５（イ）に示す再剥離積層体１Ｂが作成される。
【００３９】
かかる構成にあって、接触遮断層７によってアルカリ性の第二帳票基材８との接触が遮断される領域を除く所要領域の層間剥離層４は、未硬化状態に保持される一方、接触遮断層７によってアルカリ性の第二帳票基材８との接触が遮断される領域の層間剥離層４は硬化した状態となっている。そしてこのように層間剥離層４に未硬化部分と硬化部分とを選択的に生じさせることにより、第二帳票基材８の剥離時に、図５（ロ）に示すように、未硬化部分の層間剥離層４が層間剥離して粘着剤層３に残留し、該粘着剤層３の接着力を大幅に低下させることができる一方、硬化部分の層間剥離層４は第二帳票基材８とともに除去されて粘着剤層３が露出し、該粘着剤層３の本来の強接着力を発揮させることができる。そして、このように、第一帳票基材２上に弱接着する部分と強接着する部分を設けるに際して、弱接着性と強接着性の二種類の粘着剤を用いる必要がないため、生産性がよく、コストを低減させることができる。
【００４０】
次に、本発明の第四実施例を、図６〜図８に基づいて説明する。この第四実施例は、上記再剥離積層体１Ｂを用いた請求項４にかかる再剥離帳票の一実施例を示すものである。
【００４１】
この第四実施例における再剥離帳票１０Ｂは、隠蔽葉書として構成されている。第一帳票基材２は、図６に示すように、略同サイズの被貼着片部１１と隠蔽片部１２とがその一辺縁で折り線１３を介して連成されてなるものであり、被貼着片部１１の上面には、前記折り線１３側一辺縁以外の三辺縁を除く所定位置に秘匿情報記入領域１４が設けられている。また、被貼着片部１１には、該秘匿情報記入領域１４を囲繞するようにして、該秘匿情報記入領域１４の切り離し用ミシン目１５が形成されている。
【００４２】
一方、前記隠蔽片部１２の上面には、図７に示すように、その略全面に強接着性粘着剤からなる粘着剤層３が配設され、該粘着剤層３の上面の全面にはカチオン重合シリコーンからなる層間剥離層４が配設され、該層間剥離層４上で、前記折り線１３で第一帳票基材２を折り畳んだ状態で被貼着片部１１の秘匿情報記入領域１４に一致する所要領域面を除く領域面上には、アルカリ性物質を含有しない接触遮断層７が配設され、さらに該接触遮断層７の上面を含む層間剥離層４の上面を覆うようにして第二帳票基材８が配設されている。そして、隠蔽片部１２とその上部に配設された粘着剤層３，層間剥離層４，接触遮断層７及び第二帳票基材８によって第三実施例の再剥離積層体１Ｂが構成されている。
【００４３】
尚、この再剥離帳票１０Ｂは、第一帳票基材２の被貼着片部１１に秘匿情報記入領域１４を印刷形成する工程と、該秘匿情報記入領域１４を囲繞する切り離し用ミシン目１５を形成する工程以外は、上述した再剥離積層体１Ｂの作成方法が適用され、使用する各材料も同じであるので、作成方法及び使用材料についての重複する説明を省略する。
【００４４】
上記のように隠蔽葉書として構成された再剥離帳票１０Ｂを使用するには、秘匿情報記入領域１４に秘匿情報を記入した後、第二帳票基材８を剥離する。この第二帳票基材８の剥離操作によって未硬化状態の層間剥離層４が層間剥離し、図８（イ）に示すように、被貼着片部１１の秘匿情報記入領域１４（図６参照）に一致する粘着剤層３の所要領域面上に層間剥離層４が残留して、該粘着剤層３の所要領域面が粘着力の低下した弱接着部１６ａとなるとともに、粘着剤層３の所要領域面以外の領域面、即ち、前記折り線１３側一辺縁以外の三辺縁の領域面は、硬化した層間剥離層４が第二帳票基材８とともに除去されて、強接着性の粘着剤層３が露出した強接着部１６ｂとなる。
【００４５】
そして、この状態において、図８（ロ）に示すように、折り線１３で第一帳票基材２を二つ折りにして閉じ合わせる。この閉じ合わせ操作によって、隠蔽片部１２が被貼着片部１１上に粘着剤層３の弱接着部１６ａと強接着部１６ｂの粘着力を介して接着されて、秘匿情報記入領域１４に記入された秘匿情報を隠蔽することができる。この時、粘着剤層３の弱接着部１６ａにより、秘匿情報記入領域１４には隠蔽片部１２が剥離可能に弱接着されることとなり、また、折り線１３側一辺縁以外の三辺縁は、粘着剤層３の強接着部１６ｂにより、剥離不能に強接着されることとなる。そしてこのように秘匿情報を隠蔽した隠蔽葉書の郵送後において、正規の受取人が切り離し用ミシン目１５で秘匿情報記入領域１４部分を隠蔽葉書から切り離すことにより、秘匿情報を知得することができる。
【００４６】
かかる構成にあって、第三者が秘匿情報を不正に知得しようとして、隠蔽片部１２を無理に剥離すると、強接着されている三辺縁部分が破れるため、剥離した痕跡を残さずに隠蔽片部１２を再貼着することができず、これによって、隠蔽性を向上させることができる。
【００４７】
尚、この第四実施例にあっては、被貼着片部１１の折り線１３側一辺縁以外の三辺縁に対応するようにして、接触遮断層７を配設し、第一帳票基材２の閉じ合わせ時に、折り線１３側一辺縁以外の三辺縁を粘着剤層３の強接着部１６ｂによって剥離不能に強接着させるようにしているが、これに代えて、被貼着片部１１の四辺縁を除く所定位置に秘匿情報記入領域１４を設けるとともに、該被貼着片部１１の折り線１３側一辺縁を含む四辺縁に対応するようにして、接触遮断層７を配設することにより、閉じ合わせ時に、四辺縁を強接着させるようにすることも可能である。また、折り線１３の対向縁を除く被貼着片部１１の所定位置に秘匿情報記入領域１４を設け、該秘匿情報記入領域１４に対応するようにして、接触遮断層７を配設することにより、閉じ合わせ時に、折り線１３の対向縁を強接着させるようにすることも可能である。
【００４８】
また、前記切り離し用ミシン目１５は必ずしも必要ではなく、強接着されている三辺縁（若しくは前記四辺縁または折り線１３の対向縁）部分をハサミ等を用いて切り離すことによっても、秘匿情報の知得が可能であるが、前記第四実施例のように切り離し用ミシン目１５を設けておけば、ハサミ等の道具を用いることなく、簡単に隠蔽葉書から秘匿情報記入領域１４部分を切り離すことが可能となる。
【図面の簡単な説明】
【００４９】
【図１】（イ）は第一実施例にかかる再剥離積層体１Ａの縦断面図、（ロ）は再剥離積層体１Ａから第二帳票基材６を剥離した状態を示す説明図である。
【図２】第二実施例にかかる再剥離帳票１０Ａの平面図である。
【図３】同上の再剥離帳票１０Ａの縦断面図である。
【図４】（イ）は同上の再剥離帳票１０Ａから第二帳票基材６を剥離した状態を示す縦断面図、（ロ）は第一帳票基材２を二つ折りにして閉じ合わせた状態を示す縦断面図である。
【図５】（イ）は第三実施例にかかる再剥離積層体１Ｂの縦断面図、（ロ）は再剥離積層体１Ｂから第二帳票基材８を剥離した状態を示す説明図である。
【図６】第四実施例にかかる再剥離帳票１０Ｂの平面図である。
【図７】同上の再剥離帳票１０Ｂの縦断面図である。
【図８】（イ）は同上の再剥離帳票１０Ｂから第二帳票基材８を剥離した状態を示す縦断面図、（ロ）は第一帳票基材２を二つ折りにして閉じ合わせた状態を示す縦断面図である。
【図９】（イ）は従来構成の隠蔽葉書ａの平面図、（ロ）は該隠蔽葉書ａの縦断面図、（ハ）は、該隠蔽葉書ａを二つ折りにして閉じ合わせた状態を示す縦断面図である。
【符号の説明】
【００５０】
１Ａ，１Ｂ  再剥離積層体
２  第一帳票基材
３  粘着剤層
４  層間剥離層
５  硬化阻害層
６  第二帳票基材
７  接触遮断層
８  第二帳票基材
１０Ａ，１０Ｂ  再剥離帳票
１１  被貼着片部
１２  隠蔽片部
１３  折り線
１４  秘匿情報記入領域  
１５  切り離し用ミシン目
【図１】
2006248144.tif 000003
【図２】
2006248144.tif 000004
【図３】
2006248144.tif 000005
【図４】
2006248144.tif 000006
【図５】
2006248144.tif 000007
【図６】
2006248144.tif 000008
【図７】
2006248144.tif 000009
【図８】
2006248144.tif 000010
【図９】
2006248144.tif 000011